(57)【要約】【課題】多様な料金設定を可能とすると共に、そのような料金設定に関する情報を的確に顧客に提示して、プリント注文受付端末装置の機能向上を図る。【解決手段】プリント注文者が写真プリントの作製条件を入力操作するプリント注文受付端末装置において、入力された写真プリントの作製枚数の入力情報に基づいて、入力された写真プリントの作製枚数に対応する料金計算手順と、その料金計算手順に写真プリントの作製単価が低価格側で近い他の料金計算手順とを特定し、前記他の料金計算手順についての情報をプリント枚数の修正案内としてモニタ５２に表示し、入力操作部ＭＮからの写真プリントの作製枚数の修正入力を受付ける。【選択図】図１
2008014972.tif 000002
【特許請求の範囲】
【請求項１】
写真プリントの作製注文をするプリント注文者が、少なくとも写真プリントの作製枚数情報を含む写真プリントの作製条件を入力操作する入力操作部と、その入力操作部への入力操作時の操作案内を表示するモニタと、前記作製条件の入力情報に基づいて写真プリント作製料金を計算する料金計算部と、写真プリントの作製注文の受付けを制御するプリント注文制御部とが備えられ、写真プリント装置による前記作製条件での写真プリントの作製を指示するプリント注文受付端末装置であって、
前記料金計算部は、写真プリント作製料金の料金計算手順として、写真プリントの作製単価を変化させた複数の料金計算手順を備えて、指定された写真プリントの作製枚数に応じてそれらの料金計算手順を切換えるように構成され、
前記プリント注文制御部は、前記入力操作部から入力された写真プリントの作製枚数の入力情報に基づいて、入力された写真プリントの作製枚数に対応する料金計算手順と、その料金計算手順に写真プリントの作製単価が低価格側で近い他の料金計算手順とを特定する計算条件特定処理と、前記他の料金計算手順についての情報をプリント枚数の修正案内として前記モニタに表示する表示案内処理と、前記プリント枚数の修正案内の表示後に前記入力操作部からの写真プリントの作製枚数の修正入力を受付ける枚数修正処理とを実行するように構成されているプリント注文受付端末装置。
【請求項２】
前記プリント注文制御部は、前記プリント注文者が前記入力操作部から写真プリントの作製条件の入力操作を完了したことを指示入力したときに、前記計算条件特定処理，前記表示案内処理及び前記枚数修正処理を実行するように構成されている請求項１記載のプリント注文受付端末装置。
【請求項３】
前記料金計算部は、前記料金計算手順として、写真プリントの作製枚数の設定枚数の増加毎に写真プリントの作製単価を段階的に低く設定する状態で、複数の料金計算手順が設定され、
前記プリント注文制御部は、写真プリントの作製単価が共通する写真プリントの作製枚数のグループ内を、写真プリントの作製枚数が多い側の上位グループと少ない側の下位グループとに区分し、前記入力操作部から入力された写真プリントの作製枚数が前記上位グループに属する場合においてのみ、前記表示案内処理及び前記枚数修正処理を実行するように構成されている請求項１又は請求項２記載のプリント注文受付端末装置。
【発明の詳細な説明】
【技術分野】
【０００１】
本発明は、写真プリントの作製注文をするプリント注文者が、少なくとも写真プリントの作製枚数情報を含む写真プリントの作製条件を入力操作する入力操作部と、その入力操作部への入力操作時の操作案内を表示するモニタと、前記作製条件の入力情報に基づいて写真プリント作製料金を計算する料金計算部と、写真プリントの作製注文の受付けを制御するプリント注文制御部とが備えられ、写真プリント装置による前記作製条件での写真プリントの作製を指示するプリント注文受付端末装置に関する。
【背景技術】
【０００２】
かかるプリント注文受付端末装置は、下記特許文献１にも記載のような、顧客からの写真プリントの作製注文（以下、単に「プリント注文」と称する場合がある）を受付ける端末装置であり、このプリント注文受付端末装置で受付けたプリント注文の内容を写真プリント装置へ送って写真プリントを作製させる。
このようなプリント注文受付端末装置は、通常、プリントショップの店頭に設置され、顧客自らがプリント注文受付端末装置を操作して、写真プリントの作製注文をするのに必要な事項（写真プリントの作製条件）を入力操作する。
尚、顧客は写真プリントの作製を希望する画像の画像データを記録したメモリーカード等の記録媒体をプリントショップへ持ち込んでプリント注文を行うが、一般には、プリント注文受付端末装置に、そのような記録媒体に記録されている画像データを読取る読取り装置も備えられている。
【０００３】
ところで、上記のようなプリント注文受付端末装置には、顧客が指定した写真プリントの作製枚数等の写真プリントの作製条件に基づいて、写真プリントの作製料金を計算する機能を備えるのが一般的になっており、従来の一般的な料金計算手順としては、プリントサイズ毎に写真プリントの作製単価を固定的に設定しておき、その作製単価と写真プリントの作製枚数を乗算して作製料金を計算するという手法をとっている。
【特許文献１】特開２００３−０７５９２９号公報
【発明の開示】
【発明が解決しようとする課題】
【０００４】
従って、従来は、写真プリントの作製料金の計算手法（料金計算手順）が一律的であり、顧客に対するサービス提供機能が十分なものではなかった。
本発明は、かかる実情に鑑みてなされたものであって、その目的は、多様な料金設定を可能とすると共に、そのような料金設定に関する情報を的確に顧客に提示して、プリント注文受付端末装置の機能向上を図る点にある。
【課題を解決するための手段】
【０００５】
本出願の第１の発明は、写真プリントの作製注文をするプリント注文者が、少なくとも写真プリントの作製枚数情報を含む写真プリントの作製条件を入力操作する入力操作部と、その入力操作部への入力操作時の操作案内を表示するモニタと、前記作製条件の入力情報に基づいて写真プリント作製料金を計算する料金計算部と、写真プリントの作製注文の受付けを制御するプリント注文制御部とが備えられ、写真プリント装置による前記作製条件での写真プリントの作製を指示するプリント注文受付端末装置において、前記料金計算部は、写真プリント作製料金の料金計算手順として、写真プリントの作製単価を変化させた複数の料金計算手順を備えて、指定された写真プリントの作製枚数に応じてそれらの料金計算手順を切換えるように構成され、前記プリント注文制御部は、前記入力操作部から入力された写真プリントの作製枚数の入力情報に基づいて、入力された写真プリントの作製枚数に対応する料金計算手順と、その料金計算手順に写真プリントの作製単価が低価格側で近い他の料金計算手順とを特定する計算条件特定処理と、前記他の料金計算手順についての情報をプリント枚数の修正案内として前記モニタに表示する表示案内処理と、前記プリント枚数の修正案内の表示後に前記入力操作部からの写真プリントの作製枚数の修正入力を受付ける枚数修正処理とを実行するように構成されている。
【０００６】
すなわち、プリントショップの顧客であるプリント注文者がプリント注文受付端末装置の入力操作部を操作して写真プリントの作製注文を行う際に、その写真プリントの作製に要する料金の計算において使用する料金計算手順は、単一の料金計算手順ではなく、写真プリントの作製単価を変化させた複数の料金計算手順を切換えて使用できる。
この複数の料金計算手順は、プリント注文者によって指定された写真プリントの作製枚数に応じて切換えられるのであるが、通常、写真プリント作製枚数が多いほど写真プリントの作製単価を下げるように設定され、写真プリントの作製枚数が多いほど料金の割引が大きくなるように設定される。
【０００７】
プリント注文受付端末装置は、このような料金設定に対応して料金計算を行えるだけでなく、そのような顧客に有利な料金設定となっていることを、顧客が入力した写真プリントの作製枚数に対応した形で、的確に情報提示する機能を有している。
この情報提示は、その時点の写真プリント作製枚数の入力値から、どのような条件で写真プリントの注文をすれば、写真プリントの作製単価がより安い料金計算手順が適用されることになるかを示す情報であり、顧客は、この情報提示をモニタで確認して、自己にとって有利であると考えれば、写真プリント作製枚数を修正入力する。
【０００８】
又、本出願の第２の発明は、上記第１の発明の構成に加えて、前記プリント注文制御部は、前記プリント注文者が前記入力操作部から写真プリントの作製条件の入力操作を完了したことを指示入力したときに、前記計算条件特定処理，前記表示案内処理及び前記枚数修正処理を実行するように構成されている。
すなわち、プリント注文者が個々の画像について写真プリントの作製枚数を指定する度に上記の表示案内処理を行っていたのでは、モニタ画面上の表示が煩雑となりプリント注文者に却って不快感を与えてしまう畏れがある。
そこで、プリント注文者が写真プリント作製条件の入力操作を全て完了したときに、上記表示案内処理を実行して、確認的に且つ的確に情報を伝えるようにする。
【０００９】
又、本出願の第３の発明は、上記第１又は第２の発明の構成に加えて、前記料金計算部は、前記料金計算手順として、写真プリントの作製枚数の設定枚数の増加毎に写真プリントの作製単価を段階的に低く設定する状態で、複数の料金計算手順が設定され、前記プリント注文制御部は、写真プリントの作製単価が共通する写真プリントの作製枚数のグループ内を、写真プリントの作製枚数が多い側の上位グループと少ない側の下位グループとに区分し、前記入力操作部から入力された写真プリントの作製枚数が前記上位グループに属する場合においてのみ、前記表示案内処理及び前記枚数修正処理を実行するように構成されている。
【００１０】
すなわち、料金計算部が実行する料金計算手順として、写真プリントの作製枚数の設定枚数の増加毎に写真プリントの作製単価を段階的に低く設定する。
換言すると、写真プリントの作製単価が共通のものを１グループとして、その１グループに１つの料金計算手順が割り当てられる。
このような料金体系をとる場合、プリント注文者が指定した写真プリントの作製枚数に拘わらず、上記の表示案内処理及び枚数修正処理を実行したのでは、プリント注文者が指定した写真プリントの作製枚数に対して、写真プリントの作製単価がより安くなる料金計算手順に切換えるのに必要な追加の写真プリント枚数が多くなってしまった場合、プリント注文者は、そのような多くの枚数の追加注文をする意欲を生じにくいにも拘わらず、上記のプリント枚数の修正案内をモニタで見せられることになり、却って不快感を与えてしまう可能がある。
そこで、写真プリントの作製単価がより安くなる料金計算手順に切換えるのに必要な追加の写真プリント枚数がそれほど多くない場合にのみ、上記のプリント枚数の修正案内を表示するようにしているのである。
【発明の効果】
【００１１】
上記第１の発明によれば、顧客は、上記のプリント枚数の修正案内をモニタで確認して、自己にとって有利であると考えれば、写真プリント作製枚数を修正入力できるので、多様な料金設定を可能とすると共に、そのような料金設定に関する情報を的確に顧客に提示して、プリント注文受付端末装置の機能向上を図れるものとなった。
又、上記第２の発明によれば、プリント注文者が写真プリント作製条件の入力操作を全て完了したときに、上記表示案内処理を実行して、確認的に且つ的確に情報を伝えるようにするので、プリント注文者は快適にプリント注文受付端末装置を操作でき、プリント注文受付端末装置の機能向上に寄与できる。
又、上記第３の発明によれば、写真プリントの作製単価がより安くなる料金計算手順に切換えるのに必要な上記の追加の写真プリント枚数がそれほど多くない場合にのみ、上記のプリント枚数の修正案内を表示するので、プリント注文者は快適にプリント注文受付端末装置を操作でき、プリント注文受付端末装置の機能向上に寄与できる。
【発明を実施するための最良の形態】
【００１２】
以下、本発明のプリント注文受付端末装置を備えた写真プリントシステムの実施の形態を図面に基づいて説明する。
本実施の形態で例示する写真プリントシステムＤＰは、いわゆるデジタルミニラボシステムと称されるシステムであり、ブロック構成図として示す図１及びプリントショップの店舗内に設置した状態の外観を示す図４に示すように、プリント注文受付端末装置ＯＲと、プリント動作用の画像データに基づいて写真プリントを作製する写真プリント装置ＥＰと、各種の記録媒体から画像データを取込んで前記プリント動作用の画像データを生成する画像入力装置ＩＲとを主要部として構成され、これらがネットワーク接続されている。
このシステムでは、顧客がメモリーカード等の記録媒体をプリントショップの従業者であるオペレータに手渡して写真プリントを作製依頼することができる他、顧客自身がプリント注文受付端末装置ＯＲを操作してメモリーカード等の各種の記録媒体等の画像データから写真プリントの作製を注文することもできる。
尚、図４では同一構成のプリント注文受付端末装置ＯＲを複数台（具体的には２台）備える場合を例示しているが、図１のブロック図ではそのうちの１台のみについて図示している。
【００１３】
〔画像入力装置ＩＲの概略構成〕
画像入力装置ＩＲには、図１及び外観斜視図である図２に示すように、パーソナルコンピュータにて構成される主制御装置４と、写真プリント装置ＥＰへ送るプリント動作用の画像データを生成する画像処理部５とが備えられ、主制御装置４には、メモリーカードリーダ／ライタ，光磁気ディスクドライブ及びＣＤ−Ｒ／ＲＷドライブ等を備えた外部入出力装置４ａと、各種の制御用の情報等を表示するモニタ４ｂと、操作卓４ｃと、マウス４ｄとが接続されている。
画像処理部５は、写真プリント装置ＥＰにて出力する写真プリントにおいて良好な画像が得られるように、主制御装置４を経て入力される画像データに対して、所定の色補正、シャープネスその他の画像処理を施して、前記プリント動作用の画像データを生成する。
主制御装置４には大容量のハードディスク装置が内蔵されており、外部入出力装置４ａやプリント注文受付端末装置ＯＲにおいて各種の記録媒体から取込んだ多数のオーダー（プリント注文の単位）の画像データを記憶保持できるようにしている。
【００１４】
〔プリント注文受付端末装置ＯＲの概略構成〕
プリント注文受付端末装置ＯＲは、図１及び図３の外観斜視図に示すように、ＣＤ−Ｒメディアやメモリーカード等の各種の記録媒体を読取るための複数種類のドライブを備えて各種の記録媒体から画像データを読取るための読取り装置５１と、プリント注文を受付けるための操作案内を表示する表示機能と各種の指示を入力操作するための入力機能とを兼ね備えたタッチパネル式のモニタ５２と、上部筐体５３に内蔵されてパーソナルコンピュータにより構成される制御装置５４と、下部筐体５５に内蔵された入出金ユニット５６と、各種の制御用データや後述の顧客の入力データ等を記憶する記憶装置５９とが備えられている。記憶装置５９は、例えばハードディスク装置にて構成すれば良い。
入出金ユニット５６は、プリント注文受付端末装置ＯＲを利用して写真プリントの作製を注文する際の料金を徴収するための装置であり、下部筐体５５の正面側側面に紙幣及び硬貨を投入するための料金投入部５７と、釣り銭を排出するための釣り銭排出口５８とが備えられている。写真プリントの作製を依頼する顧客は、この入出金ユニット５６を利用して支払う方法と、プリントショップの従業者に直接支払う方法とを選択できる。
【００１５】
〔写真プリント装置ＥＰの全体構成〕
写真プリント装置ＥＰは、図１に示すように、筐体内部に、印画紙２上へ画像を露光形成する画像形成装置ＥＸと、画像形成装置ＥＸにて画像が露光形成された印画紙２を現像処理する現像処理装置ＰＰと、筐体上部側に設置された印画紙マガジン６から引き出された印画紙２を多数の搬送ローラ９等にて現像処理装置ＰＰへ搬送する印画紙搬送系ＰＴとが設けられている。
写真プリント装置ＥＰの筐体外部には、図４に示すように、現像処理装置ＰＰにて現像処理及び乾燥処理された印画紙２をオーダ毎に分類するためのソータ７と、現像処理装置ＰＰから排出された印画紙２をソータ７へ搬送するコンベア８とが設けられている。
更に、印画紙搬送系ＰＴの搬送経路の途中には、印画紙マガジン６から引き出された長尺の印画紙２を設定プリントサイズに切断するカッタ１０が備えられている。
【００１６】
〔画像形成装置ＥＸの構成〕
画像形成装置ＥＸは、印画紙２上に露光画像を形成する画像形成ヘッド１３と、画像形成ヘッド１３を制御する露光制御装置１４とを主要部として構成されている。
画像形成ヘッド１３は、設定プリントサイズに切断された印画紙２の搬送経路の途中箇所を画像形成位置とするように取り付けられ、その画像形成位置において印画紙搬送方向（副走査方向）と直交する方向（主走査方向）でレーザビームを走査する。
露光制御装置１４は、画像処理部５にて生成されたプリント動作用の画像データを受け取って、その画像データに基づいて画像形成ヘッド１３から出射されるレーザビームを強度変調する。
印画紙搬送系ＰＴにて搬送駆動される印画紙２に対して上述のように強度変調されたレーザビームが走査されることで、印画紙２上に画像が露光形成され、それが現像処理装置ＰＰにて現像処理されると写真プリントとして仕上がる。
【００１７】
〔プリント注文の受付〕
次ぎに、顧客が自らプリント注文受付端末装置ＯＲを操作して、写真プリントの作製注文を行う際の動作を、プリント注文受付端末装置ＯＲの制御装置５４が実行する図７のフローチャートに基づいて説明する。
プリント注文をする顧客が、プリント注文受付端末装置ＯＲのタッチパネル式のモニタ５２を操作して、住所，氏名，電話番号あるいはプリントショップがその顧客に対して設定している顧客番号等を入力操作すると、制御装置５４は図７の処理を開始し、先ず、プリント注文の内容を詳細に設定する「注文内容入力処理」を実行する（ステップ＃１）。
この「注文内容入力処理」においては、プリント注文受付端末装置ＯＲのモニタ５２に、図５に例示する顧客による入力操作のための画面表示を行う。
図５の画面表示では、複数個（具体的には６個）の画像表示欄４０と、各画像表示欄４０に対応するプリント枚数入力欄４１及びプリントサイズ入力欄４２と、更に後続の画像についての入力操作を指示するための「次へ」ボタン表示４３と、入力操作の完了を指示するための「完了」ボタン表示４４を表示している。
【００１８】
画像表示欄４０に表示される画像は、顧客が読取り装置５１にセットした記録媒体から読出した画像に対して所定の画像処理を施して縮小処理した画像である。
顧客は、この画面表示において、画像表示欄４０の画像を確認しながら、適宜に表示されるテンキーウィンドウ等からプリント枚数入力欄４１及びプリントサイズ入力欄４２への入力操作を行う。
顧客がこのような写真プリントの作製条件の入力操作を完了し、「完了」ボタン表示４４を押し操作してその旨を指示入力すると、ステップ＃１の「注文内容入力処理」が終了する。
【００１９】
次ぎに、プリント注文者である顧客が入力した条件での料金計算のために使用する料金計算手順を特定する（ステップ＃２）。
写真プリントの作製料金を計算する制御装置５４は、写真プリント作製料金の料金計算手順として、写真プリントの作製単価を変化させた複数の料金計算手順を備えて、指定された写真プリントの作製枚数（以下、単に「プリント枚数」という場合がある）に応じてそれらの料金計算手順を切換えるように構成されている。
本実施の形態では、この写真プリントの作製単価は、プリント枚数が１枚増える毎に単価が変化するような細かい設定ではなく、プリント枚数が設定枚数分増加する毎に写真プリントの作製単価を段階的に低く設定する状態で、複数の料金計算手順が設定されている。
尚、写真プリントの作製単価は、プリントサイズによっても変わるのであるが、説明の便宜上、プリントサイズは例えばＬ版等の１サイズのみとして説明する。
【００２０】
上記の料金計算手順を具体的な事例で説明すると、プリント枚数に対する料金の設定手法としては、例えば、プリント枚数が１枚〜９枚では写真プリントの作製単価が３５円、プリント枚数が１０枚〜１９枚では写真プリントの作製単価が３３円、プリント枚数が２０枚〜２９枚では写真プリントの作製単価が３１円、プリント枚数が３０枚以上では写真プリントの作製単価が２９円とする。
この事例では、プリント枚数の１０枚の増加毎に写真プリントの作製単価を段階的に低くする事例となっている。
この事例の場合での料金計算手順は、写真プリントの作製枚数（プリント枚数入力欄４１の入力値の累計）をＰＮとして、ＰＮ×３５，ＰＮ×３３，ＰＮ×３１及びＰＮ×２９の４つの料金計算手順が備えられており、プリント枚数に応じてそれらを切換えている。
尚、この事例は、プリント枚数が２９枚以下では、写真プリントの作製単価が共通する写真プリントの作製枚数のグループは９個又は１０個の要素で構成されているが、これらと異なる個数を有するものでも良く、又、写真プリントの作製単価間で夫々のグループに属する要素の個数が大きく変化するものでも良い。
上述のように料金計算手順が設定されている場合において、例えば、顧客が、プリント枚数入力欄４１に入力した値の合計のプリント枚数が９枚である場合は、料金計算手順として「ＰＮ×３５」を使用するように特定する。
【００２１】
このようにして、その時点で顧客に指定されているプリント枚数での料金計算手順を特定した後、次ぎに、プリント枚数の修正案内をモニタ５２に表示するか否かを判断する（ステップ＃３）。
この判断は、写真プリントの作製単価が共通する写真プリントの作製枚数のグループ内を、写真プリントの作製枚数が多い側の上位グループと少ない側の下位グループとに区分し、顧客によって入力されたプリント枚数が上位グループあるいは下位グループの何れに属するかによって判断し、上位グループに属する場合においてのみ、上記のプリント枚数の修正案内をモニタ５２に表示するものと決定して、ステップ＃４以降の処理を実行する。
本実施の形態では、料金計算手順が切り替わる境界よりも２枚少ない位置で、上記の上位グループと下位グループとに分けるものとして説明する。
例えば、写真プリントの作製単価が３５円であるプリント枚数が１枚〜９枚のグループでは、１枚〜７枚を前記下位グループとし、８枚及び９枚を前記上位グループとする。
【００２２】
顧客が指定したプリント枚数が９枚であるときは、写真プリントの作製単価が３５円であるグループ内の上位グループに属するので（ステップ＃３）、更に、ステップ＃２で特定した料金計算手順に写真プリントの作製単価が低価格側で近い（本実施の形態では、１段階低い作製単価）他の料金計算手順を特定する（ステップ＃４）。
ここでは、写真プリントの作製単価が３３円の場合の料金計算手順（ＰＮ×３３）がそれに該当する。
【００２３】
この後、更に、上記のプリント枚数の修正案内をモニタ５２に表示する（ステップ＃５）。
このプリント枚数の修正案内は、図６に例示するモニタ５２の表示画面のように、修正案内ウィンドウ６０を表示することにより行う。
修正案内ウィンドウ６０には、その時点で顧客が指定しているプリント枚数の情報と、ステップ＃４で特定した１段階分作製単価が低いグループに適用される料金計算手順についての情報（「１０枚以上のプリント単価は、３３円になります。」という文言）と、プリント枚数の修正の意思を確認する文言とを表示する他、プリント枚数の修正を行う場合に操作する「修正」ボタン表示６１と、プリント枚数を修正する意思のないことを指示入力する「非修正」ボタン表示６２とを表示している。
【００２４】
顧客が、「修正」ボタン表示６１あるいは「非修正」ボタン表示６２の何れかを操作すると（ステップ＃６）、操作されたのが「修正」ボタン表示６１であるときには、その時点で顧客が指定しているプリント枚数を各画像毎に記憶し、ステップ＃１に戻って図５の画面を再表示するときの、プリント枚数入力欄４１に表示する初期値として設定する（ステップ＃８）。
この後、ステップ＃１に戻って、上記の動作を繰り返し、顧客による写真プリントの作製枚数の修正入力を受付ける。
写真プリントしようとする撮影画像が、グループ旅行中の風景写真であるような場合等は、若干余分にプリントして同行者に提供したいというような意識もあり、上記のようなプリント枚数の修正案内を表示することが特に有効なサービスの提供となる。
【００２５】
一方、顧客が「非修正」ボタン表示６２を操作したときには、ステップ＃２で特定した料金計算手順で写真プリントの作製料金を計算して、求めた作製料金と入金のための操作案内をモニタ５２に表示する（ステップ＃９）。
モニタ５２の案内表示に従って、顧客が、料金投入部５７から必要な料金を投入すると（ステップ＃１０）、この処理を終了する。
制御装置５４は、このようにしてプリント注文を受付けた後、写真プリントを作製させるべく、写真プリントの作製の指示として、写真プリント作製対象の画像の画像データと、顧客が入力した写真プリントの作製条件のデータとを画像入力装置ＩＲへ送る。この画像データ等を受け取った画像入力装置ＩＲは、オペレータの管理下で、適宜のタイミングでその画像データを写真プリント装置ＥＰへ送って写真プリントを作製させる。
【００２６】
更に、ステップ＃３において、仮に、顧客が入力したプリント枚数が７枚であり、前記下位グループに属する場合には、そのまま料金計算に移行して（ステップ＃９）、上記と同様に写真プリント作製のための指示が出力される。
【００２７】
以上のように、プリント注文受付端末装置ＯＲの制御装置５４は、顧客（プリント注文者）が入力した写真プリントの作製条件の入力情報に基づいて写真プリントの作製料金を計算する料金計算部ＣＣとしての機能（図７のステップ＃９の処理部分に相当）と、写真プリントの作製注文の受付けを制御するプリント注文制御部ＯＣとしての機能（図７のステップ＃９以外の処理部分）とを併せ持っており、料金計算部ＣＣは、上述した複数の料金計算手順を備えて、指定された写真プリントの作製枚数に応じてそれらの料金計算手順を切換えている。
又、プリント注文制御部ＯＣとしての制御装置５４は、入力された写真プリントの作製枚数の入力情報に基づいて、入力された写真プリントの作製枚数に対応する料金計算手順と、その料金計算手順に写真プリントの作製単価が低価格側で近い他の料金計算手順とを特定する計算条件特定処理（ステップ＃２及びステップ＃４の処理）と、前記他の料金計算手順についての情報をプリント枚数の修正案内としてモニタ５２に表示する表示案内処理（ステップ＃５の処理）と、前記プリント枚数の修正案内の表示後に写真プリントの作製枚数の修正入力を受付ける枚数修正処理（ステップ＃８から戻ってきたときのステップ＃１以降の処理）とを実行しており、上記の計算条件特定処理，表示案内処理及び枚数修正処理は、プリント注文者がステップ＃１において写真プリントの作製条件の入力操作を完了したことを指示入力したときに実行されている。
又、モニタ５２は、図５の画面表示等により写真プリントの作製条件の入力操作時の操作案内を表示するモニタとしての機能と、写真プリントの作製条件を入力操作する入力操作部ＭＮとしての機能とを兼ね備えている。
【００２８】
〔別実施形態〕
以下、本発明の別実施形態を列記する。
（１）上記実施の形態では、プリント注文者が写真プリントの作製条件を入力操作する入力操作部ＭＮとしてタッチパネル式のモニタ５２を例示しているが、画像入力装置ＩＲの主制御装置４に備えられている操作卓４ｃやマウス４ｄと同等のものを入力操作部ＭＮとして備えても良い。
（２）上記実施の形態では、プリント注文受付端末装置ＯＲの制御装置５４が、プリント注文制御部ＯＣの機能と料金計算部ＣＣの機能とを併せ持つ場合を例示しているが、これらを夫々別個の組み込み型コンピュータ等にて構成しても良い。
【図面の簡単な説明】
【００２９】
【図１】本発明の実施の形態にかかる写真プリントシステムの概略構成図
【図２】本発明の実施の形態にかかる画像入力装置の外観斜視図
【図３】本発明の実施の形態にかかるプリント注文受付端末装置の外観斜視図
【図４】本発明の実施の形態にかかる写真プリントシステムの配置例を示す図
【図５】本発明の実施の形態にかかるモニタの画面表示例を示す図
【図６】本発明の実施の形態にかかるモニタの画面表示例を示す図
【図７】本発明の実施の形態にかかるフローチャート
【符号の説明】
【００３０】
ＣＣ  料金計算部
ＭＮ  入力操作部
ＯＣ  プリント注文制御部
５２  モニタ
【図１】
2008014972.tif 000003
【図２】
2008014972.tif 000004
【図３】
2008014972.tif 000005
【図４】
2008014972.tif 000006
【図５】
2008014972.tif 000007
【図６】
2008014972.tif 000008
【図７】
2008014972.tif 000009